(57)【要約】【課題】拡大表示処理における消費電流を低減することができる表示装置及び表示制御方法を提供する。【解決手段】複数のピクセルが配列されたＬＣＤパネル１０１を有する表示装置１００に、ライン状に並んだピクセル毎に設けられ、ピクセルに入力されるピクセルデータを保持する複数の保持回路１０と、ライン状に並んだピクセル毎に設けられ、ライン方向に連続して配列された複数のピクセルに対応する複数の保持回路１０からピクセルデータが入力され、何れかの保持回路１０から入力されたピクセルデータを選択し、ピクセルに入力する切替回路１１と、を備えた。【選択図】図１
2011059216.tif 000002
【特許請求の範囲】
【請求項１】
複数のピクセルが配列された表示パネルを有する表示装置であって、
ライン状に並んだ前記ピクセル毎に設けられ、前記ピクセルに入力される表示データを保持する複数の保持手段と、
前記ライン状に並んだ前記ピクセル毎に設けられ、前記ライン方向に連続して配列された複数の前記ピクセルに対応する複数の前記保持手段から表示データが入力され、何れかの前記保持手段から入力された表示データを選択し、前記ピクセルに入力する切替手段と、
を備える表示装置。
【請求項２】
前記表示パネルにおいて、連続して配列された複数の前記ピクセルにより１ピクセル分の表示データが表示され、
前記切替手段は、前記１ピクセル分の表示データが表示される領域の境界領域における境界画像処理を行うか否かを示す境界画像処理判別信号に基づいて、前記ライン方向に連続して配列された複数の前記ピクセルに対応する複数の前記保持手段から入力される表示データの何れかを選択する請求項１に記載の表示装置。
【請求項３】
前記切替手段は、前記ライン方向に隣り合う２つの前記ピクセルに対応する２つの前記保持手段から入力される表示データの何れかを選択し、当該切替手段に対応する前記ピクセルに入力する請求項１又は２に記載の表示装置。
【請求項４】
前記表示パネルが複数の領域に分割され、
前記領域毎に、前記境界画像処理を行うか否かが設定される請求項１乃至３の何れか一項に記載の表示装置。
【請求項５】
前記表示データに基づいて、前記表示データよりも画素数が多い拡大表示データを生成する拡大制御手段と、
前記前記表示データと、前記拡大表示データとの何れかを選択して、前記保持手段に入力する選択手段と、
を備える請求項１乃至４の何れか一項に記載の表示装置。
【請求項６】
複数のピクセルが配列された表示パネルを有する表示装置における表示制御方法であって、
ライン状に並んだ前記ピクセル毎に設けられた保持手段により、前記ピクセルに入力される表示データを保持する保持処理と、
前記ライン状に並んだ前記ピクセル毎に設けられた切替手段により、前記ライン方向に連続して配列された複数の前記ピクセルに対応する複数の前記保持手段から表示データが入力され、何れかの前記保持手段から入力された表示データを選択し、前記ピクセルに入力する切替処理と、
を備える表示制御方法。
【請求項７】
前記表示パネルにおいて、連続して配列された複数の前記ピクセルにより１ピクセル分の表示データが表示され、
前記切替処理において、前記切替手段により、前記１ピクセル分の表示データが表示される領域の境界領域における境界画像処理を行うか否かを示す境界画像処理判別信号に基づいて、前記ライン方向に連続して配列された複数の前記ピクセルに対応する複数の前記保持手段から入力される表示データの何れかを選択する請求項６に記載の表示制御方法。
【請求項８】
前記切替処理において、前記切替手段により、前記ライン方向に隣り合う２つの前記ピクセルに対応する２つの前記保持手段から入力される表示データの何れかを選択し、当該切替手段に対応する前記ピクセルに入力する請求項６又は７に記載の表示制御方法。
【請求項９】
前記表示パネルが複数の領域に分割され、
前記領域毎に、前記境界画像処理を行うか否かが設定される請求項６乃至８の何れか一項に記載の表示制御方法。
【請求項１０】
前記表示データに基づいて、前記表示データよりも画素数が多い拡大表示データを生成する拡大制御処理と、
前記前記表示データと、前記拡大表示データとの何れかを選択して、前記保持手段に入力する選択処理と、
を備える請求項６乃至９の何れか一項に記載の表示制御方法。
【発明の詳細な説明】
【技術分野】
【０００１】
本発明は表示装置及び表示制御方法に関する。
【背景技術】
【０００２】
近年、携帯電話などの携帯機器の普及に伴って、表示装置の需要が増加している。特に、携帯機器の動作時間をより長時間にするために、表示装置に用いられる半導体集積回路の低消費電力化が望まれている。さらに、最近では、通信回線を用いて画像データを送受信するために要する通信料を抑えるために、画像の解像度を下げて画像データのデータ量を低減して送受信することが多くなってきた。これに伴い、解像度が下げられた画像を解像度の高いＬＣＤ（Ｌｉｑｕｉｄ  Ｃｒｙｓｔａｌ  Ｄｉｓｐｌａｙ）パネルなどの表示装置に拡大表示することも増えてきた。そして、携帯機器に用いられる表示装置において、拡大表示を行うための処理をできるだけ少なくする技術、及び、消費電流を低減する技術の開発が望まれている。
【０００３】
例えば、非特許文献１に記載の携帯電話用ＬＣＤモジュールでは、表示画像に変化がない場合には、必要な部分だけを動作させることにより、消費電流の低減を図っている。
【０００４】
また、特許文献１に記載の画像拡大制御装置では、複雑な計算式を用いて、原画像データに補間拡大処理を行って、拡大表示を実現している。
【先行技術文献】
【特許文献】
【０００５】
【特許文献１】特開２００３−００８８８７号公報
【０００６】
【非特許文献１】宮山芳幸著、「液晶マトリックスを駆動し文字や画像を映し出す  ＬＣＤドライバＩＣの動作と役割」、トランジスタ技術、日本、ＣＱ出版社、２００４年２月号、１３６〜１３７ページ
【発明の概要】
【発明が解決しようとする課題】
【０００７】
しかしながら、非特許文献１に記載の技術では、表示動画が常に変化している場合には、消費電流を低減することができない。また、拡大表示処理における消費電流を低減することができない。
また、特許文献１に記載の技術では、複雑な計算式を用いた演算処理を必要とする。そのため、当該演算を実現するため、画像演算回路や演算結果を格納するバッファが別途必要となる。その結果、消費電流が増加してしまうという問題がある。
【課題を解決するための手段】
【０００８】
本発明の第１の態様にかかる表示装置は、複数のピクセルが配列された表示パネルを有する表示装置である。また、前記表示装置は、複数の保持手段と、複数の切替手段と、を備えている。前記保持手段は、ライン状に並んだ前記ピクセル毎に設けられ、前記ピクセルに入力される表示データを保持する。また、前記切替手段は、前記ライン状に並んだ前記ピクセル毎に設けられ、前記ライン方向に連続して配列された複数の前記ピクセルに対応する複数の前記保持手段から表示データが入力され、何れかの前記保持手段から入力された表示データを選択し、前記切替手段に対応する前記ピクセルに入力する。
【０００９】
本発明の第１の態様においては、ライン状に並んだピクセル毎に保持手段と切替手段が設けられている。すなわち、ライン状に並んだピクセルのうち、１つのピクセルに対応する１つの保持手段及び１つの切替手段が設けられている。また、それぞれの保持手段と切替手段とは対応している。そして、切替手段により、ライン方向に連続して配列された複数のピクセルに対応する複数の保持手段から入力された表示データの何れかが選択され、当該切替手段に対応するピクセルに入力される。したがって、切替手段が、当該切替手段に対応する保持手段以外の保持手段から入力される表示データを選択した場合、当該切替手段に対応するピクセルには、当該ピクセルに対応しない保持手段から入力される表示データが入力されることになる。すなわち、切替手段は、ピクセルに入力される表示データを当該ライン方向に沿ってずらすことができる。そのため、ｍ行ｎ列（ｍ及びｎは正の整数）のピクセルデータ（表示データ）を２ｍ行２ｎ列のピクセルがマトリックス状に配列された表示パネルで表示する場合であって、切替手段及び保持手段が２ｍ個のピクセル毎に設けられている場合、列方向に隣り合う２つのピクセルに、異なる保持手段から表示データを入力することが可能となる。これにより、拡大表示時の１ピクセル分の表示データを表示する領域の境界領域にある列方向に隣り合う２つのピクセルに、異なるピクセルの表示データを入力することが可能となる。したがって、拡大表示時における画質補正を実現する為の複雑な演算処理回路を用いずに、当該画質補正を行うことができる。これにより、拡大表示処理における消費電流を低減することができる。
【００１０】
本発明の第２の態様にかかる表示制御方法は、複数のピクセルが配列された表示パネルを有する表示装置における表示制御方法である。また、前記表示制御方法は、保持処理と、切替処理と、を備えている。前記保持処理において、ライン状に並んだ前記ピクセル毎に設けられた保持手段により、前記ピクセルに入力される表示データが保持される。また、前記切替処理において、前記ライン状に並んだ前記ピクセル毎に設けられた切替手段により、前記ライン方向に連続して配列された複数の前記ピクセルに対応する複数の前記保持手段から表示データが入力され、何れかの前記保持手段から入力された表示データが選択され、前記ピクセルに入力される。
【００１１】
本発明の第２の態様においては、ライン状に並んだピクセル毎に保持手段と切替手段が設けられている。すなわち、ライン状に並んだピクセルのうち、１つのピクセルに対応する１つの保持手段及び１つの切替手段が設けられている。また、それぞれの保持手段と切替手段とは対応している。そして、切替処理において、切替手段により、ライン方向に連続して配列された複数のピクセルに対応する複数の保持手段から入力された表示データの何れかが選択され、当該切替手段に対応するピクセルに入力される。したがって、切替手段が、当該切替手段に対応する保持手段以外の保持手段から入力される表示データを選択した場合、当該切替手段に対応するピクセルには、当該ピクセルに対応しない保持手段から入力される表示データが入力されることになる。すなわち、切替処理により、ピクセルに入力される表示データを当該ライン方向に沿ってずらすことができる。そのため、ｍ行ｎ列（ｍ及びｎは正の整数）のピクセルデータ（表示データ）を２ｍ行２ｎ列のピクセルがマトリックス状に配列された表示パネルで表示する場合であって、切替手段及び保持手段が２ｍ個のピクセル毎に設けられている場合、列方向に隣り合う２つのピクセルに、異なる保持手段から表示データを入力することが可能となる。これにより、拡大表示時の１ピクセル分の表示データを表示する領域の境界領域にある列方向に隣り合う２つのピクセルに、異なるピクセルの表示データを入力することが可能となる。したがって、拡大表示時における画質補正を実現する為の複雑な演算処理回路を用いずに、当該画質補正を行うことができる。これにより、拡大表示処理における消費電流を低減することができる。
【発明の効果】
【００１２】
本発明により、拡大表示処理における消費電流を低減することができる。
【図面の簡単な説明】
【００１３】
【図１】本発明の実施の形態１にかかる表示装置の構成の一例を示すブロック図である。
【図２】本発明の実施の形態１にかかる表示制御方法の一例を説明するフローチャートである。
【図３】ディザリング処理時のＬＣＤパネル部を模式的に示す図である。
【図４】ディザリング処理時のＬＣＤパネル部を模式的に示す図である。
【図５】本発明の実施の形態１にかかる表示制御方法を説明する説明図である。
【図６】本発明の実施の形態２にかかる表示制御方法の一例を説明するフローチャートである。
【図７】本発明の実施の形態２にかかるＬＣＤパネル部の一例を模式的に示す図である。
【図８】本発明の実施の形態３にかかる表示装置の構成の一例を説明するブロック図である。
【図９】本発明の実施の形態３にかかる拡大倍率が３×３であるときのＬＣＤパネル部を模式的に示す図である。
【図１０】本発明の実施の形態３にかかる拡大倍率が１×２であるときのＬＣＤパネル部を模式的に示す図である。
【発明を実施するための形態】
【００１４】
実施の形態１．
以下、図面を参照して本発明の実施の形態について説明する。
図１は、本発明の実施の形態１にかかる表示装置１００の構成の一例を示すブロック図である。図１に示すように、表示装置１００は、ＬＣＤパネル部１０１（表示パネル）、ＬＣＤコントロールドライバ１０２等を備えている。
【００１５】
また、ＬＣＤパネル部１０１は、液晶セル１３等を備えている。液晶セル１３は、図１に示すように、複数のピクセルＰ１１、Ｐ１２、Ｐ１３、・・・がマトリックス状に配列されてなる。例えば、図１の場合、２ｍ行２ｎ列のマトリックス状にピクセルが配列されている（ｍ及びｎは正の整数）。すなわち、縦方向に２ｍ個のピクセルが配列され、横方向に２ｎ個のピクセルが配列されている。換言すれば、ライン状に２ｎ個のピクセルが並び、当該ピクセルからなるラインが２ｍ行分、当該ラインに垂直な方向に並んでいる。そして、それぞれのピクセルＰ１１、Ｐ１２、Ｐ１３、・・・にソース（図示省略）とゲート（図示省略）が接続されている。なお、ピクセルの配列は図１に限られるものではない。
また、図１において、太い線で囲む範囲が拡大表示時における１つのピクセル（画素セル）となっている。すなわち、拡大表示時の１つのピクセルは、通常表示時（拡大を行っていないとき）の複数のピクセルからなる。例えば、図１において、１行目のＰ１１、Ｐ１１と、２行目のＰ１１、Ｐ１１、Ｐ１１とから、拡大表示時の１つのピクセルが形成されている。そして、図１の場合、ｍ行ｎ列のピクセルデータ（表示データ）を２×２の拡大倍率で表示する。
【００１６】
また、ＬＣＤコントロールドライバ１０２は、インタフェース部１、タイミング制御部２、ゲート駆動制御部３、切替回路制御信号生成回路４、拡大制御部５（拡大制御手段）、ピクセルデータ切替回路６（選択手段）、ピクセルデータ保持回路群７、ソース駆動制御部８等を備えている。
また、表示装置１００は、図示しないＦＰＧＡ（Ｆｉｅｌｄ  Ｐｒｏｇｒａｍｍａｂｌｅ  Ｇａｔｅ  Ａｒｒａｙ）などから構成される制御部（図示省略）を備え、ＦＰＧＡは、表示装置１００の各部を制御するための各種プログラムを格納している。そして、制御部は、当該各種プログラムを実行することにより、表示装置１００の各部の制御を行う。なお、制御部は、ＦＰＧＡの代わりに、ＬＳＩ（Ｌａｒｇｅ  Ｓｃａｌｅ  Ｉｎｔｅｇｒａｔｉｏｎ）などを備えてもよい。制御部がＦＰＧＡを備える場合、ＦＰＧＡに格納された各種プログラムを書き換えることができる。また、これらの各種プログラムは記録媒体に記憶可能なプログラムである。
【００１７】
インタフェース部１には、ＬＣＤコントロールドライバ１０２の外部から、ピクセルデータ（表示データ）、各種制御信号などが入力される。これらのピクセルデータ、各種制御信号などは、表示装置１００の制御部からインタフェース部１に入力される。
そして、インタフェース部１は、タイミング制御信号及び拡大判別信号をタイミング制御部２に入力する。また、インタフェース部１は、判別信号ＤＳ＿ＳＥＬ（境界画像処理判別信号）を切替回路制御信号生成回路４に入力する。また、インタフェース部１は、原ピクセルデータを拡大制御部５及びピクセルデータ切替回路６に入力する。また、インタフェース部１は、拡大判別信号をピクセルデータ切替回路６に入力する。
【００１８】
タイミング制御部２は、インタフェース部１から入力されるタイミング制御信号及び拡大判別信号に基づいて、ゲート駆動制御部３、切替回路制御信号生成回路４、ソース駆動制御部８の動作するタイミングを制御する。具体的には、タイミング制御部２は、ゲート系制御信号をゲート駆動制御部３に入力する。また、タイミング制御部２は、ソース系制御信号をソース駆動制御部８に入力する。また、タイミング制御部２は、垂直同期信号、フレーム数信号、ライン数信号を切替回路制御信号生成回路４に入力する。
【００１９】
ゲート駆動制御部３は、タイミング制御部２から入力されるゲート系制御信号に従って、ゲート（図示省略）の駆動制御処理を行う。具体的には、ゲート系制御信号に基づくゲート電圧信号を、ＬＣＤパネル部１０１の各ゲートに入力する。
【００２０】
切替回路制御信号生成回路４は、切替回路制御信号を生成することにより、ソース駆動制御部８内に設けられる切替回路１１（後述）を制御する。具体的には、切替回路制御信号生成回路４は、インタフェース部１から入力される判別信号ＤＳ＿ＳＥＬと、タイミング制御部２から入力される垂直同期信号、フレーム数信号、ライン数信号と、に従って切替回路制御信号を生成する。
【００２１】
拡大制御部５は、拡大画素生成回路９などを備えている。そして、インタフェース部１から入力される原ピクセルデータ（表示データ）は、拡大画素生成回路９に入力される。そして、拡大画素生成回路９は、原ピクセルデータよりも画素数が多い拡大ピクセルデータ（拡大表示データ）を生成し、当該拡大ピクセルデータをピクセルデータ切替回路６に入力する。
【００２２】
ピクセルデータ切替回路６は、インタフェース部１から入力される拡大判別信号に従って、インタフェース部１から入力される原ピクセルデータと、拡大画素値生成回路９から入力される拡大ピクセルデータと、の何れかを選択して、ピクセルデータ保持回路群７に入力する。
【００２３】
ピクセルデータ保持回路群７は、複数の保持回路１０（保持手段）等を備えている。保持回路１０は、ライン状に並んだピクセル毎に設けられている。すなわち、保持回路１０は、ＬＣＤパネル部１０１の縦方向に並べられたピクセル毎に設けられている。すなわち、図１の場合、ピクセルデータ保持回路群７は、２ｎ個の保持回路１０を備えている。そして、複数の各保持回路１０は、ピクセルデータ切替回路６から入力される原ピクセルデータ又は拡大ピクセルデータを、１ピクセルずつ保持する。また、各保持回路１０は、それぞれが保持しているピクセルデータをソース駆動制御部８の切替回路１１（切替手段）に入力する。また、図１に示す場合、紙面向かって左端の保持回路１０は、紙面向かって左端の切替回路１１に入力するとともに、紙面向かって左端のソースアンプ部１２（後述）に入力する。
【００２４】
ソース駆動制御部８は、複数の切替回路１１、複数のソースアンプ部１２等を備えている。
【００２５】
切替回路１１は、ライン状に並んだピクセル毎に設けられている。すなわち、切替回路１１は、ＬＣＤパネル１０１の縦方向に並べられたピクセル毎に設けられている。具体的には、図１の場合、２ｎ−１個の切替回路１１が設けられている。そして、１つの切替回路１１には、２つの保持回路１０からピクセルデータが入力される。また、切替回路１１には、切替回路制御信号生成回路４から切替回路制御信号が入力される。そして、切替回路１１は、切替回路制御信号に従って、何れかの保持回路１０から入力されるピクセルデータを選択し、選択したピクセルデータをソースアンプ部１２に入力する。
【００２６】
ソースアンプ部１２は、ＬＣＤパネル部１０１の縦方向に並べられたピクセル毎に設けられている。すなわち、図１の場合、ソース駆動制御部８は、２ｎ個のソースアンプ部１２を備えている。換言すれば、それぞれのソースアンプ部１２は、何れかの保持回路１０と対応している。そして、ＬＣＤパネル部１０１の左端のピクセル（図１の場合、Ｐ１１、Ｐ１１、Ｐ２１、・・・、Ｐｍ１）に対応するソースアンプ部１２には、左端の保持回路１０からピクセルデータが入力される。また、その他のソースアンプ部１２には、対応する切替回路１１からピクセルデータが入力される。そして、ソースアンプ部１２は、入力されたピクセルデータに基づくソース電圧信号を、ＬＣＤパネル部１０１の各ソース（図示省略）に入力する。
【００２７】
そして、切替回路１１は、２つの保持回路１０から入力されたピクセルデータの何れかを選択することにより、ソースアンプ部１２に入力するピクセルデータを変える。これにより、切替回路１１は、ディザリング処理（境界画像処理）のオン／オフを切り替える。
【００２８】
具体的には、図１に示す場合、紙面左側から右側に向かって一列に並んだソースアンプ部１２は、それぞれ、紙面左側から右側に向かって一列に並んだ保持回路１０に対応している。そして、最も左側のソースアンプ部１２には、最も左側の保持回路１０からピクセルデータが入力される。したがって、最も左側のソースアンプ部１２に入力されるピクセルデータは、ディザリング処理のオン／オフによって変化しない。
【００２９】
一方、紙面左側からＮ番目（Ｎは、１以上の整数）の切替回路１１には、紙面左側からＮ番目の保持回路１０と、Ｎ＋１番目の保持回路１０と、からピクセルデータが入力される。そして、当該切替回路１１は、切替回路制御信号に従って、Ｎ番目の保持回路１０から入力されたピクセルデータと、Ｎ＋１番目の保持回路１０から入力されたピクセルデータの何れかのピクセルデータを選択して、紙面左側からＮ＋１番目のソースアンプ部１２に入力する。
より具体的には、ディザリング処理がオンである場合には、Ｎ番目の切替回路１１は、Ｎ番目の保持回路１０から入力されたピクセルデータをＮ＋１番目のソースアンプ部１２に入力する。また、ディザリング処理がオフである場合には、Ｎ番目の切替回路１１は、Ｎ＋１番目の保持回路１０から入力されたピクセルデータをＮ＋１番目のソースアンプ部１２に入力する。このようにして、切替回路１１は、ディザリング処理のオン／オフを切り替える。
なお、ディザリング処理とは、表示装置１００が使用可能な色とは異なる中間色を表示する場合に、複数の使用可能な色を組み合わせて、当該中間色を表示する処理である。
【００３０】
次に、本発明の実施の形態１にかかる表示制御方法における切替回路制御信号生成処理について、図２に示すフローチャートを参照しながら説明する。
まず、切替回路制御信号生成回路４は、インタフェース部１から入力される判別信号ＤＳ＿ＳＥＬが０か否かを判断することにより、ディザリング処理がオフであるか否かを判断する（ステップＳ１）。
【００３１】
ステップＳ１において、判別信号ＤＳ＿ＳＥＬが０でない場合（ステップＳ１；Ｎｏ）、切替回路制御信号生成回路４は、ディザリング処理がオンであると判断する。そして、切替回路制御信号生成回路４は、タイミング制御部２から入力されるフレーム数信号及びライン数信号に基づいて、ピクセルデータ保持回路群７に入力された拡大ピクセルデータのフレーム数及びライン数の両方が奇数又は偶数であるか否かを判断する（ステップＳ２）。ここで、ライン数とは、マトリックス状に並べられたピクセルの行数を意味する。また、フレームとは、液晶セル１３全面を意味する。
【００３２】
ステップＳ２において、ピクセルデータ保持回路群７に入力された拡大ピクセルデータのフレーム数及びライン数の両方が奇数又は偶数ではない場合（ステップＳ２；Ｎｏ）、切替回路制御信号生成回路４は、ハイレベルの切替回路制御信号を切替回路１１に入力する（ステップＳ３）。
ステップＳ２において、ピクセルデータ保持回路群７に入力された拡大ピクセルデータのフレーム数及びライン数の両方が奇数又は偶数である場合（ステップＳ２；Ｙｅｓ）、切替回路制御信号生成回路４は、ロウレベルの切替回路制御信号を切替回路１１に入力する（ステップＳ４）。
【００３３】
次に、切替回路制御信号生成回路４は、ピクセルデータ保持回路群７に入力された拡大ピクセルデータの次のラインの処理に進む（ステップＳ５）。
【００３４】
次に、切替回路制御信号生成回路４は、タイミング制御部２から垂直同期信号が入力されたか否かを判断する（ステップＳ６）。
【００３５】
ステップＳ６において、タイミング制御部２から垂直同期信号が入力されていない場合（ステップＳ６；Ｎｏ）、ステップＳ２に戻る。
ステップＳ６において、タイミング制御部２から垂直同期信号が入力された場合（ステップＳ６；Ｙｅｓ）ステップＳ１に戻る。
【００３６】
ステップＳ１において、判別信号ＤＳ＿ＳＥＬが０である場合（ステップＳ１；Ｙｅｓ）、切替回路制御信号生成回路４は、ディザリング処理がオフであると判断する。そして、切替回路制御信号生成回路４は、ロウレベルの切替回路制御信号を切替回路１１に入力する（ステップＳ７）。
【００３７】
次に、切替回路制御信号生成回路４は、ピクセルデータ保持回路群７に入力された拡大ピクセルデータの次のラインの処理に進む（ステップＳ８）。
【００３８】
次に、切替回路制御信号生成回路４は、タイミング制御部２から垂直同期信号が入力されたか否かを判断する（ステップＳ９）。
【００３９】
ステップＳ９において、タイミング制御部２から垂直同期信号が入力されていない場合（ステップＳ９；Ｎｏ）、ステップＳ７に戻る。
ステップＳ９において、タイミング制御部２から垂直同期信号が入力された場合（ステップＳ９；Ｙｅｓ）ステップＳ１に戻る。
【００４０】
以上に説明した本発明の実施の形態１にかかる表示装置１００及び表示制御方法によれば、ライン状（行方向）に並んだピクセル毎に保持回路１０と切替回路１１が設けられている。すなわち、ライン状に並んだピクセルのうち、１つのピクセルに対応する１つの保持回路１０及び１つの切替回路１１が設けられている。また、それぞれの保持回路１０と切替回路１１とは対応している。そして、切替回路１１により、ライン方向に連続して配列された複数のピクセルに対応する複数の保持回路１０から入力されたピクセルデータの何れかが選択され、当該切替回路１１に対応するピクセルに入力される。したがって、切替回路１１が、当該切替回路１１に対応する保持回路以外の保持回路１０から入力されるピクセルデータを選択した場合、当該切替回路１１に対応するピクセルには、当該ピクセルに対応しない保持回路１０から入力されるピクセルデータが入力されることになる。すなわち、切替回路１１は、ピクセルに入力されるピクセルデータを当該ライン方向に沿ってずらすことができる。そのため、ｍ行ｎ列のピクセルデータを２ｍ行２ｎ列のピクセルがマトリックス状に配列されたＬＣＤパネル部１０１で表示する場合であって、切替回路１１及び保持回路１０が２ｍ個のピクセル毎に設けられている場合、列方向に隣り合う２つのピクセルに、異なる保持回路１０からピクセルデータを入力することが可能となる。これにより、拡大表示時の１ピクセル分のピクセルデータを表示する領域の境界領域にある列方向に隣り合う２つのピクセルに、異なるピクセルのピクセルデータを入力することが可能となる。したがって、拡大表示時における画質補正を実現する為の複雑な演算処理回路を用いずに、当該画質補正を行うことができる。これにより、拡大表示処理における消費電流を低減することができる。
【００４１】
図３、図４に、本発明の実施の形態１にかかる表示装置１００及び表示制御方法におけるディザリング処理を行っている際のＬＣＤパネル１０１の表示を模式的に示す。
図３は、ＬＣＤパネル１０１が奇数フレームのピクセルデータを拡大表示している場合を示し、図４は、ＬＣＤパネル１０１が偶数フレームのピクセルデータを拡大表示している場合を示す。また、図５に、ソース駆動制御部８における動作を説明する図を示す。
【００４２】
図３において、最初の奇数ライン（１行目）は、左から、Ｐ１１、Ｐ１１、Ｐ１２、Ｐ１２、Ｐ１３、Ｐ１３、Ｐ１４、・・・、Ｐ１ｎ、Ｐ１ｎの順にピクセルが並んでいる。また、図３において、最初の偶数ライン（２行目）は、左から、Ｐ１１、Ｐ１１、Ｐ１１、Ｐ１２、Ｐ１２、Ｐ１３、Ｐ１３、・・・、Ｐ１（ｎ−１）、Ｐ１ｎの順にピクセルが並んでいる。
そして、最初の奇数ラインＰ１１、Ｐ１１と、最初の偶数ラインのＰ１１、Ｐ１１、Ｐ１１と、が当該奇数フレームにおける先頭の１ピクセル（画素セル）である。すなわち、図３において、太い線で囲む範囲が拡大表示時の１つのピクセルとなっている。
また、最初の奇数ライン及び最初の偶数ラインにおいて、最初の奇数ラインの左から５列目のＰ１３と、最初の偶数ラインの左から５列目のＰ１２とからなる範囲（図３の点線で囲む範囲）がディザリング処理を行う領域である。同様に、最初の奇数ラインの左から７列目のＰ１４と、最初の偶数ラインの左から７列目のＰ１３とからなる範囲（図３の点線で囲む範囲）がディザリング処理を行う領域である。そして、最初の奇数ラインの左から６列目のＰ１３と、最初の偶数ラインの左から６列目のＰ１３とからなる範囲（図３の破線で囲む範囲）は、ディザリング処理が行われない領域である。同様に、他の奇数ライン及び偶数ラインにおいても、拡大表示時の１ピクセル分の表示データを表示する領域の境界において上下方向（列方向）で隣接するピクセルにおいてディザリング処理が行われる。
【００４３】
図４において、最初の奇数ライン（１行目）は、左から、Ｐ１１、Ｐ１１、Ｐ１１、Ｐ１２、Ｐ１２、Ｐ１３、Ｐ１３、・・・、Ｐ１（ｎ−１）、Ｐ１ｎの順にピクセルが並んでいる。また、図４において、最初の偶数ライン（２行目）は、左から、Ｐ１１、Ｐ１１、Ｐ１２、Ｐ１２、Ｐ１３、Ｐ１３、Ｐ１４、・・・、Ｐ１ｎ、Ｐ１ｎの順にピクセルが並んでいる。
そして、最初の奇数ラインＰ１１、Ｐ１１、Ｐ１１と、最初の偶数ラインのＰ１１、Ｐ１１と、が当該奇数フレームにおける先頭の１ピクセル（画素セル）である。すなわち、図３において、太い線で囲む範囲が拡大表示時の１つのピクセルとなっている。
また、最初の奇数ライン及び最初の偶数ラインにおいて、最初の奇数ラインの左から５列目のＰ１２と、最初の偶数ラインの左から５列目のＰ１３とからなる範囲（図４の点線で囲む範囲）がディザリング処理を行う領域である。同様に、最初の奇数ラインの左から７列目のＰ１３と、最初の偶数ラインの左から７列目のＰ１４とからなる範囲（図４の点線で囲む範囲）がディザリング処理を行う領域である。そして、最初の奇数ラインの左から６列目のＰ１３と、最初の偶数ラインの左から６列目のＰ１３とからなる範囲（図４の破線で囲む範囲）は、ディザリング処理が行われない領域である。同様に、他の奇数ライン及び偶数ラインにおいても、拡大表示時の１ピクセル分の表示データを表示する領域の境界において上下方向（列方向）で隣接するピクセルにおいてディザリング処理が行われる。
【００４４】
そして、本発明の実施の形態１にかかるソース駆動制御部８では、図５に示すように、切替回路１１により、２つの保持回路１０から入力されたピクセルデータの何れかが選択され、選択されたピクセルデータがソースアンプ部１２に入力される。これにより、切替回路１１は、ディザリング処理のオン／オフを切り替える。具体的には、図５（ａ）に示すように、ディザリング処理がオフである場合、切替回路１１は、左端からｎ−１番目の保持回路１０（図５の保持回路（ｎ−１））から入力されたピクセルデータをｎ−１番目のソースアンプ部１２（図５のＰ（ｎ−１））に入力する。一方、ディザリング処理がオンである場合には、切替回路１１は、左端からｎ−１番目の保持回路１０（図５の保持回路（ｎ−１））から入力されたピクセルデータを左端からｎ番目のソースアンプ部１２（図５のＰｎ）に入力する。このようにして、切替回路１１は、ディザリング処理のオン／オフを切り替える。
【００４５】
そして、このような切替回路１１によるソースアンプ部１２に入力されるピクセルデータの切替処理により、図３、図４に示すディザリング処理が行われる領域において、隣り合うピクセル間の中間の色を表示することができる。これにより、単純な回路構成でディザリング処理を実現することができる。そのため、従来、拡大表示時における画質補正を実現するための複雑な演算処理回路を必要としない。これにより、拡大表示処理における消費電流を低減することができる。
【００４６】
実施の形態２．
本発明の実施の形態２にかかる表示装置の構成は、本発明の実施の形態１にかかる表示装置１００と同様であるため、同一の構成については同一の符号を付すとともに、その説明を省略する。また、実施の形態２にかかる表示制御方法における切替回路制御信号生成処理のみが、実施の形態１にかかる表示制御方法と異なる。
【００４７】
実施の形態２にかかる表示制御方法における切替回路制御信号生成処理について、図６に示すフローチャートを参照しながら説明する。
まず、切替回路制御信号生成回路４は、インタフェース部１から入力される判別信号ＤＳ＿ＳＥＬが０か否かを判断することにより、ディザリング処理がオフであるか否かを判断する（ステップＳ１０１）。
【００４８】
ステップＳ１０１において、判別信号ＤＳ＿ＳＥＬが０である場合（ステップＳ１０１；Ｙｅｓ）、ステップＳ１０４に進む。
ステップＳ１０１において、判別信号ＤＳ＿ＳＥＬが０でない場合（ステップＳ１０１；Ｎｏ）、切替回路制御信号生成回路４は、ディザリング処理がオンであると判断する。そして、切替回路制御信号生成回路４は、タイミング制御部２から入力されるフレーム数信号及びライン数信号に基づいて、ピクセルデータ保持回路群７に入力された拡大ピクセルデータのフレーム数及びライン数の両方が奇数又は偶数であるか否かを判断する（ステップＳ１０２）。
【００４９】
ステップＳ１０２において、ピクセルデータ保持回路群７に入力された拡大ピクセルデータのフレーム数及びライン数の両方が奇数又は偶数ではない場合（ステップＳ１０２；Ｎｏ）、切替回路制御信号生成回路４は、ハイレベルの切替回路制御信号を切替回路１１に入力する（ステップＳ１０３）。
ステップＳ１０２において、ピクセルデータ保持回路群７に入力された拡大ピクセルデータのフレーム数及びライン数の両方が奇数又は偶数である場合（ステップＳ１０２；Ｙｅｓ）、切替回路制御信号生成回路４は、ロウレベルの切替回路制御信号を切替回路１１に入力する（ステップＳ１０４）。
【００５０】
次に、切替回路制御信号生成回路４は、ピクセルデータ保持回路群７に入力された拡大ピクセルデータの次のラインの処理に進み（ステップＳ１０５）、ステップＳ１０１に戻る。
【００５１】
図７に、本発明の実施の形態２にかかる表示制御方法におけるディザリング処理を行っている際のＬＣＤパネル１０１の表示を模式的に示す。
図７において、左上（１行１列）から、２ａ行２ｎ列（ａ及びｎは正の整数）までの範囲（図７のＰ１１、Ｐ１１、Ｐ１２、Ｐ１２、Ｐ１３、・・・、Ｐ１ｎ、Ｐ１１、・・・、Ｐ１ｎ、・・・、Ｐａ１、Ｐａ１、Ｐａ２、Ｐａ２、Ｐａ３、・・・、Ｐａｎ、Ｐａ１、・・・、Ｐａｎの範囲）は、ディザリング処理が行われない範囲である。また、図７において、ｂ行１列（ｂは、ｂ＞ａを満たす正の整数）から２ｐ行２ｎ列（ｐは、ｐ＞ｂを満たす正の整数）までの範囲は、ディザリング処理が行われる範囲である。また、図７において、ｑ行１列（ｑは、ｑ＞ｐを満たす正の整数）から２ｔ行２ｎ列（ｔは、ｔ＞ｑを満たす正の整数）までの範囲は、ディザリング処理が行われない範囲である。
換言すれば、実施の形態２にかかる表示制御方法においては、１つのフレームが、ディザリング処理を行う範囲とディザリング処理を行わない範囲に分割されている。
【００５２】
そして、１行１列から２ａ行２ｎ列までの範囲、及び、ｑ行１列から２ｔ行２ｎ列までの範囲に入力されるピクセルデータの表示制御処理においては、ＬＣＤコントロールドライバ１０２の外部に設けられている、表示装置１００の制御部（図示省略）において、ディザリング処理をオフする制御信号が生成される。次いで、当該制御信号がインタフェース部１に入力され、インタフェース部１から「０」の判別信号ＤＳ＿ＳＥＬが切替回路制御信号生成回路４に入力される。これにより、１行１列から２ａ行２ｎ列までの範囲、及び、ｑ行１列から２ｔ行２ｎ列までの範囲がディザリング処理を行わない領域として設定することができる。
【００５３】
一方、ｂ行１列から２ｐ行２ｎ列までの範囲に入力されるピクセルデータの表示制御処理においては、ＬＣＤコントロールドライバ１０２の外部に設けられている、表示装置１００の制御部（図示省略）において、ディザリング処理をオンする制御信号が生成される。次いで、当該制御信号がインタフェース部１に入力され、インタフェース部１から「１」の判別信号ＤＳ＿ＳＥＬが切替回路制御信号生成回路４に入力される。これにより、ｂ行１列からｐ行ｎ列までの範囲がディザリング処理を行われる領域として設定することができる。
【００５４】
実施の形態２にかかる表示制御方法では、ピクセルを構成するライン毎にディザリング処理を行うか否かを設定できる点が、実施の形態１にかかる表示制御方法と異なる。そのため、ＬＣＤパネル１０１を任意の複数の領域に分割し、当該領域毎に、ディザリング処理を行うか否かを設定することにより、１フレーム内でディザリング処理を行う範囲とディザリング処理を行わない範囲とを最適に設定することができる。すなわち、実施の形態２にかかる表示制御方法では、拡大表示を行う際に、１フレーム内でディザリング処理を行う範囲とディザリング処理を行わない範囲とを最適に設定することができる。
【００５５】
実施の形態３．
図８は、本発明の実施の形態３にかかる表示装置２００の構成の一例を示すブロック図である。図８に示すように、実施の形態３にかかる表示装置２００は、インタフェース部１Ａ、拡大制御部５Ａ、拡大画素値生成回路９Ａの構成のみが実施の形態１にかかる表示装置１００と異なるため、同一の構成については同一の符号を付すとともに、その説明を省略する。
【００５６】
インタフェース部１Ａには、ＬＣＤコントロールドライバ１０２の外部から、ピクセルデータ、各種制御信号などが入力される。これらのピクセルデータ、各種制御信号などは、表示装置２００の制御部からインタフェース部１Ａに入力される。
そして、インタフェース部１Ａは、タイミング制御信号及び拡大判別信号をタイミング制御部２に入力する。また、インタフェース部１Ａは、判別信号ＤＳ＿ＳＥＬを切替回路制御信号生成回路４に入力する。また、インタフェース部１Ａは、原ピクセルデータを拡大制御部５Ａ及びピクセルデータ切替回路６に入力する。また、インタフェース部１Ａは、拡大倍率信号を拡大制御部５Ａに入力する。また、インタフェース部１Ａは、拡大判別信号をピクセルデータ切替回路６に入力する。なお、拡大倍率信号とは、２×２や３×３などの拡大倍率を設定するための信号である。
【００５７】
拡大制御部５Ａは、拡大画素生成回路９Ａなどを備えている。そして、インタフェース部１Ａから入力される原ピクセルデータは、拡大画素生成回路９Ａに入力される。また、インタフェース部１Ａから入力される拡大倍率信号は、拡大画素生成回路９Ａに入力される。そして、拡大画素生成回路９Ａは、拡大倍率信号に基づく拡大倍率で、拡大ピクセルデータを生成し、当該拡大ピクセルデータをピクセルデータ切替回路６に入力する。
【００５８】
図９に、拡大倍率信号により設定される拡大倍率が３×３である場合のＬＣＤパネル部１０１の表示を模式的に示す。図９において、太い線で囲む範囲が１つのピクセルとなっている。
図９に示すＬＣＤパネル部１０１の１行４列から３行７列の範囲において、ディザリング処理が行われる領域は、点線で囲まれている範囲であり、ディザリング処理が行われない領域は、破線で囲まれている範囲である。
【００５９】
また、図１０に、拡大倍率信号により設定される拡大倍率が１×２である場合のＬＣＤパネル部１０１の表示を模式的に示す。図１０において、太い線で囲む範囲が１つのピクセルとなっている。
図１０に示すＬＣＤパネル部１０１の１行３列から１行５列の範囲において、ディザリング処理が行われる領域は、点線で囲まれている範囲であり、ディザリング処理が行われない領域は、破線で囲まれている範囲である。
【００６０】
そして、実施の形態１にかかる場合と同様に、切替回路１１によるソースアンプ部１２に入力されるピクセルデータの切替処理により、図９、図１０に示すディザリング処理が行われる領域において、隣り合うピクセル間の中間の色を表示することができる。これにより、単純な回路構成でディザリング処理を実現することができる。そのため、従来、拡大表示時における画質補正を実現するための複雑な演算処理回路を必要としない。これにより、拡大表示処理における消費電流を低減することができる。
【００６１】
なお、本発明は上記実施の形態に限られたものではなく、趣旨を逸脱しない範囲で適宜変更することが可能である。例えば、１つの切替回路１１には、ライン方向（行方向）に連続して配列された３つ以上のピクセルに対応する３つ以上の保持回路１０からピクセルデータが入力されてもよい。
【符号の説明】
【００６２】
５、５Ａ  拡大制御部（拡大制御手段）
６  ピクセルデータ切替回路（選択手段）
１０  保持回路（保持手段）
１１  切替回路（切替手段）
１００、２００  表示装置
１０１  ＬＣＤパネル（表示パネル）
【図１】
2011059216.tif 000003
【図２】
2011059216.tif 000004
【図３】
2011059216.tif 000005
【図４】
2011059216.tif 000006
【図５】
2011059216.tif 000007
【図６】
2011059216.tif 000008
【図７】
2011059216.tif 000009
【図８】
2011059216.tif 000010
【図９】
2011059216.tif 000011
【図１０】
2011059216.tif 000012